【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】 鋭い先端（２２）を持つチューブ状の穿刺針（２０）を緊密に囲む自由端を有する薄い肉厚のカテーテル（１８）を備えた穿刺針装置であり、前記穿刺針（２０）、および／または、前記カテーテル（１８）はハウジング（１２）に取付けられており、前記穿刺針（２０）および前記カテーテル（１８）は、前記穿刺針（２０）が、前記カテーテル（１８）から短い長さだけ突出する第１位置と、前記鋭い先端（２２）が前記カテーテル（１８）の前記自由端近くの前記カテーテル（１８）内に置かれる第２位置との間を、長軸方向に移動可能とし、穿刺針装置（１０）は、前記カテーテル(１８)と前記穿刺針（２０）とが前記第１位置にあるとき、組織に刺し込むことができ、前記穿刺針（２０）が常時穿刺針装置（１０）の液通路内に留まり、前記穿刺針（２０）およびカテーテル（１８）を確実に前記第１位置に保持する手段を備えている穿刺針装置において、
前記穿刺針（２０）と前記カテーテル（１８）を前記第１位置に確実に保持する手段（２４，３０）が、解放とともに前記穿刺針（２０）と前記カテーテル（１８）とを前記第２位置に移動できる手動操作可能なキャッチメンバ（３０）を備え、前記キャッチメンバ（３０）の開放とともに、前記穿刺針（２０）を前記カテーテル（１８）に対して前記第２位置へ移動させる手段を備えている穿刺針装置（１０，４０，５０，６０，７０，８０，１２０，１５０，１６０，１７０，１８０，２２０，２４０，２５０，２７０，３４０，３５０，３６０，３７０，４００）。
【請求項２】  前記穿刺針（２０）を前記カテーテル（１８）に相対して前記第２位置へ移動させる前記手段（２６）が、前記キャッチメンバ（３０）の解放とともに自動操作可能となっていることを特徴とする、請求項１に記載の穿刺針装置（１０）。
【請求項３】  前記穿刺針（２０）を第２位置へ移動させる弾性手段（２６）を備えていることを特徴とする、請求項２に記載の穿刺針装置（１０）。
【請求項４】  前記弾性手段（２６）が穿刺針（２０）の周囲に取付けられているコイルばねであることを特徴とする、請求項３に記載の穿刺針装置（１０）。
【請求項５】  前記ハウジング（１２）がシリンダまたは液採集ビンを取付ける手段（１４）を備えていることを特徴とする、請求項１〜４いずれかに記載の穿刺針装置（１０）。
【請求項６】  フランジ（２４）を前記穿刺針（２０）に取付け、前記穿刺針（２０）および前記カテーテル（１８）の前記第１位置で前記キャッチメンバ（３０）が前記フランジ（２４）とかみ合っていることを特徴とする、請求項１〜５いずれかに記載の穿刺針装置（１０）。
【請求項７】  前記フランジ（２４）は略円形であり、前記キャッチメンバ（３０）が楕円形リング（３４）の形状の変形可能なメンバを備え、前記メンバがほぼ円形形状に変形して前記フランジ（２４）が前記キャッチメンバ（３０）を通過できるようにしていることを特徴とする、請求項６に記載の穿刺針装置（１０）。
【請求項８】  前記楕円形リング（３４）が前記ハウジング（１２）の壁部分と一体成形されていることを特徴とする、請求項７に記載の穿刺針装置（１０）。
【請求項９】  前記穿刺針（２０）と前記カテーテル（１８）との前記第２位置への移動が確実に制限されていることを特徴とする、請求項１〜８のいずれかに記載の穿刺針装置（１０）。
【請求項１０】  前記穿刺針（２０）と前記カテーテル（１８）とが前記第２位置において確実に保持されていることを特徴とする、請求項１〜９のいずれかに記載の穿刺針装置（１０）。
【請求項１１】  前記穿刺針（２０）が開口を含む後端を有して、前記穿刺針（２０）の前記第２位置への移動とともに、前記穿刺針（２０）の前記後端の開口が、液を含むかまたは含むようにできるチャンバとの連通を確立していることを特徴とする、請求項１〜１０のいずれかに記載の穿刺針装置（１０）。
【請求項１２】  前記穿刺針（２０）の前記後端が別の鋭い先端（１６８）を有し、前記穿刺針（２０）が前記第２位置に移動するとき、前記ハウジング（１２）のバリヤメンバ（１７２）を貫通することを特徴とする、請求項１１に記載の穿刺針装置（１０）。
【請求項１３】  前記カテーテル（１８）が前記ハウジング（１２）に対して静止した状態で、前記穿刺針（２０）と前記カテーテル（１８）とが前記第１位置から前記第２位置へ相対的に移動する場合、前記穿刺針（２０）が前記ハウジング（１２）に対して移動していることを特徴とする、請求項１〜１２いずれかに記載の穿刺針装置（１０）。
【請求項１４】  前記カテーテル（１８）が前記ハウジング（１６）に対して静止したままの状態で、前記穿刺針（２０）と前記カテーテル（１８）とが前記第１位置から前記第２位置へ相対的に移動する場合、前記穿刺針（２０）は前記ハウジング（１２）に対して移動し、前記ハウジングは液体を収容し、または、収容する配置となっているコンテナ（１８２）を受け入れる配置となっており、シール（１８８，２２４）が前記穿刺針（２０）の後端の周辺に取り付けられることで、前記穿刺針（２０）の往復間において前記液通路が閉じられた状態となり、前記穿刺針（２０）が前記第２位置に移動するときに、前記シール（１８８，２２４）は傷付いていない状態であり、前記コンテナ（１８２）が前記ハウジング（１２）にかみ合ったまま、前記シール（１８８，２２４）が第２位置において前記穿刺針（２０）と一体の前記別の鋭い先端（１６８）により孔を空けられ、前記別の鋭い先端（１６８）が、前記コンテナ（１８２）の壁（１８６）に孔を空けて、前記穿刺針（２０）と前記コンテナ（１８２）との間の前記液通路を開くことを特徴する、請求項１２に記載の穿刺針装置（１０）。
【請求項１５】  前記穿刺針（２０）と前記カテーテル（１８）とが前記第２位置へ到達するとともに、前記穿刺針（２０）が前記第１位置の方向へ戻ることを逆行不能にして防止する手段（２４，３０）を備えている、請求項１３または１４に記載の穿刺針装置（１０）。
【請求項１６】  前記穿刺針（２０）が前記ハウジング（１２）に相対して静止した状態で、前記穿刺針（２０）と前記カテーテル（１８）とが前記第１位置から前記第２位置へ相対的に移動する場合、前記カテーテル（１８）は前記ハウジング（１２）に対して移動していることを特徴とする、請求項１〜１２いずれかに記載の穿刺針装置（１０）。
【請求項１７】  前記ハウジング（１２）はチャンバを受け入れる配置となっており、前記チャンバは液体を収容し、または、収容する配置となっており、前記カテーテル（１８）の取付は、前記チャンバが前記ハウジングによって受け入れられた状態で、前記カテーテル（１８）が前記穿刺針（２０）の鋭い先端（２２）へ移動されることが引き起こされる形態となっていることを特徴とする、請求項１６に記載の穿刺針装置（１０）。
【請求項１８】  前記穿刺針（２０）と前記カテーテル（１８）とが前記第２位置へ到達するとともに、前記カテーテル（１８）が前記第１位置の方向へ戻ることを逆行不能にして防止する手段（４０２）を備えている、請求項１６または１７に記載の穿刺針装置（１０）。
【請求項１９】  前記穿刺針（２０）が前記液通路の一部分の境界を定めており、前記液通路は前記穿刺針（２０）の長さ方向全体に渡り略一定の孔によって形成されていることを特徴とする、請求項１〜１８いずれかに記載の穿刺針装置（１０）。
【請求項２０】  薄い肉厚のカテーテル（１８）が自由端を有し、前記自由端は鋭い先端（２２）を有するチューブ状の穿刺針（２０）を密接して囲んでおり、前記穿刺針（２０）およびカテーテル（１８）は、前記穿刺針（２０）が前記カテーテル（１８）から短い長さだけ突出する第１位置と、前記鋭い先端が前記カテーテル（１８）の前記自由端近くのカテーテル内に置かれる第２位置との間を、長軸方向に移動可能とし、前記穿刺針（２０）が常時穿刺針装置（１０）の液通路内に留まり、前記穿刺針（２０）およびカテーテル（１８）を確実に前記第１位置に保持する手段（２４，３０）を備え、前記手段（２４，３０）は、解放とともに前記穿刺針（２０）および前記カテーテル（１８）を第２位置へ移動可能にするキャッチメンバ（３０）を含み、穿刺針装置（１０）は、前記カテーテル(１８)と前記穿刺針（２０）とが前記第１位置にあるとき、組織に刺し込む配置となっている穿刺針装置において、
前記穿刺針（２０）が開口を含む後端を有し、別の鋭い先端（１６８）を有し、前記穿刺針（２０）と前記カテーテル（１８）との前記第２位置への移動とともに、前記穿刺針（２０）の前記後端の開口が、液を含むかまたは含むようにできるチャンバとの連通を確立する場合に、前記別の鋭い先端（１６８）が前記ハウジング（１２）のバリヤメンバを貫通する配置となっていることを特徴とする穿刺針装置（１６０）。
【請求項２１】  薄い肉厚のカテーテル（１８）が自由端を有し、前記自由端は鋭い先端（２２）を有するチューブ状の穿刺針（２０）を密接して囲んでおり、前記穿刺針（２０）および前記カテーテル（１８）は、前記穿刺針（２０）が前記カテーテル（１８）から短い長さだけ突出する第１位置と、前記鋭い先端（２２）が前記カテーテル（１８）の前記自由端近くの前記カテーテル（１８）内に置かれる第２位置との間を、長軸方向に移動可能とし、前記穿刺針（２０）が常時穿刺針装置（３７０）の液通路内に留まり、前記穿刺針（２０）およびカテーテル（１８）を確実に前記第１位置に保持する手段（５０２）を備え、前記手段（５０２）は、解放とともに前記穿刺針（２０）および前記カテーテル（１８）を第２位置へ移動可能にするキャッチメンバを含み、穿刺針装置（１０）は、前記カテーテル(１８)と前記穿刺針（２０）とが前記第１位置にあるとき、組織に刺し込む配置となっている穿刺針装置において、
ハウジング（１２）が弾性的な壁部分（５０４）を有し、前記弾性的な壁部分（５０４）が、前記ハウジング（１２）の内圧力変化とともに、前記カテーテル（１８）および前記穿刺針（２０）を前記第２位置へ移動可能にする前記キャッチメンバの役割をし、側面方向へ移動することを特徴とする、穿刺針装置（３７０）。
【手続補正２】
【補正対象書類名】明細書
【補正対象項目名】０００９
【補正方法】変更
【補正の内容】
【０００９】
（発明の詳細な説明）
本発明の１つの態様によれば、鋭い先端を持つチューブ状穿刺針を完全に密閉している自由端を有する薄い肉厚のカテーテル穿刺針装置を提供するものであって、前記穿刺針、および／または、前記カテーテルはハウジングに取付けられており、前記穿刺針とカテーテルが、穿刺針がカテーテルから短い長さだけ突出する第１位置と、鋭い先端がカテーテルの自由端近くのカテーテル内に配置される第２位置間で、交互に長軸方向に移動可能であり、さらに常時穿刺針が穿刺針装置の液通路内に留まり、穿刺針とカテーテルを相対的第１位置に確実に保持する手段を提供しており、前記穿刺針と前記カテーテルを前記第１位置に確実に保持する手段が、解放とともに前記穿刺針と前記カテーテルとを前記第２位置に移動できる手動操作可能なキャッチメンバを備え、前記キャッチメンバの開放とともに、前記穿刺針を前記カテーテルに対して前記第２位置へ移動させる手段を備えており、カテーテルと穿刺針をそれらの相対的第１位置にあるときに、穿刺針装置が組織を突き刺すように配置されている。
本発明の別の態様によれば、穿刺針装置を提供するものであって、薄い肉厚のカテーテルが自由端を有し、前記自由端は鋭い先端を有するチューブ状の穿刺針を密接して囲んでおり、前記穿刺針およびカテーテルは、前記穿刺針が前記カテーテルから短い長さだけ突出する第１位置と、前記鋭い先端が前記カテーテルの前記自由端近くのカテーテル内に置かれる第２位置との間を、長軸方向に移動可能とし、前記穿刺針が常時穿刺針装置の液通路内に留まり、前記穿刺針およびカテーテルを確実に前記第１位置に保持する手段を備え、前記手段は、解放とともに前記穿刺針および前記カテーテルを第２位置へ移動可能にするキャッチメンバを含み、穿刺針装置は、前記カテーテルと前記穿刺針とが前記第１位置にあるとき、組織に刺し込む配置となっている穿刺針装置であり、前記穿刺針が開口を含む後端を有し、別の鋭い先端を有し、前記穿刺針と前記カテーテルとの前記第２位置への移動とともに、前記穿刺針の前記後端の開口が、液を含むかまたは含むようにできるチャンバとの連通を確立する場合に、前記別の鋭い先端が前記ハウジングのバリヤメンバを貫通する配置となっている。
本発明の別の態様によれば、穿刺針装置を提供するものであって、薄い肉厚のカテーテルが自由端を有し、前記自由端は鋭い先端を有するチューブ状の穿刺針を密接して囲んでおり、前記穿刺針および前記カテーテルは、前記穿刺針が前記カテーテルから短い長さだけ突出する第１位置と、前記鋭い先端が前記カテーテルの前記自由端近くの前記カテーテル内に置かれる第２位置との間を、長軸方向に移動可能とし、前記穿刺針が常時穿刺針装置の液通路内に留まり、前記穿刺針およびカテーテルを確実に前記第１位置に保持する手段を備え、前記手段は、解放とともに前記穿刺針および前記カテーテルを第２位置へ移動可能にするキャッチメンバを含み、穿刺針装置は、前記カテーテルと前記穿刺針とが前記第１位置にあるとき、組織に刺し込む配置となっている穿刺針装置であり、ハウジングが弾性的な壁部分を有し、前記弾性的な壁部分が、前記ハウジングの内圧力変化とともに、前記カテーテルおよび前記穿刺針を前記第２位置へ移動可能にする前記キャッチメンバの役割をして側面方向へ移動する。